(57)【要約】【課題】通常のガードインターバル長ではシンボル間干渉の影響を抑制できない程度の長遅延を有するマルチパス環境においても、OFDMシンボル長やガードインターバル長などの基本パラメータの変更や回路構成の複雑化を回避しつつ、シンボル間干渉の影響を低減し得る送信装置及び送信フレーム構成方法を提供する。【解決手段】本発明に係る送信装置の送信フレーム制御部は、ガードインターバルの長さがOFDMシンボルの長さの１／Ｎであり、OFDMシンボルを構成するサブキャリアの周波数が基底周波数のＮ×Ｍ倍であって、Ｎ及びＭが自然数であるサブキャリアを選択し、選択したサブキャリアに対して、連続する２以上のOFDMシンボルに同一の変調シンボルを割り当てることによって等価的に拡張された拡張ガードインターバルを含む送信フレームを用いる。【選択図】図３
2013187833.tif 000002
【特許請求の範囲】
【請求項１】
OFDMシンボルと、前記OFDMシンボルの所定部分を複製したガードインターバルとを複数含む送信フレームの構成を制御する送信フレーム制御部を備える直交周波数分割多重方式に従った送信装置であって、
前記送信フレーム制御部は、
前記ガードインターバルの長さが前記OFDMシンボルの長さの１／Ｎであり、前記OFDMシンボルを構成するサブキャリアの周波数が基底周波数のＮ×Ｍ倍であって、Ｎ及びＭが自然数であるサブキャリアを選択し、
選択した前記サブキャリアに対して、連続する２以上の前記OFDMシンボルに同一の変調シンボルを割り当てることによって等価的に拡張された拡張ガードインターバルを含む前記送信フレームを用いる送信装置。
【請求項２】
前記送信装置と、前記送信フレームを受信する受信装置との間における伝搬環境を判定する伝搬環境判定部を備え、
前記送信フレーム制御部は、前記送信装置と前記受信装置との間における前記OFDMシンボルの遅延分散が所定の閾値よりも大きいと前記伝搬環境判定部によって判定された場合、前記拡張ガードインターバルを含む前記送信フレームを用いる請求項１に記載の送信装置。
【請求項３】
前記送信フレーム制御部は、選択した前記サブキャリアが含まれる特定周波数領域におけるサブキャリアの電力密度を、前記特定周波数領域以外の非特定周波数領域におけるサブキャリアの電力密度よりも高くする請求項１に記載の送信装置。
【請求項４】
前記送信フレーム制御部は、選択した前記サブキャリアが含まれる特定周波数領域と、前記サブキャリアが含まれない非特定周波数領域との間に所定の帯域幅を有するガードバンドを設けた前記送信フレームを構成する請求項１に記載の送信装置。
【請求項５】
前記送信フレーム制御部は、前記ガードバンドに隣接する前記非特定周波数領域におけるサブキャリアの電力密度を、前記特定周波数領域におけるサブキャリアの電力密度よりも低くする請求項４に記載の送信装置。
【請求項６】
前記送信フレーム制御部は、連続する第１所定数の前記OFDMシンボルに同一の変調シンボルを割り当てた第１サブキャリア群と、前記第１所定数よりも小さい第２所定数の前記OFDMシンボルに同一の変調シンボルを割り当てた第２サブキャリア群と、同一の変調シンボルが連続しない単独サブキャリアとを混在させる場合、前記第２サブキャリア群のサブキャリア割当位置が、前記単独サブキャリアの割当位置よりも前記第１サブキャリア群に接近した状態となる前記送信フレームを構成する請求項１に記載の送信装置。
【請求項７】
前記送信フレーム制御部は、時間軸上において前記送信シンボルの振幅を制御する時間ウインドウ処理を実行する場合、前記時間ウインドウ処理に用いられる窓関数の係数の和が任意の時点において１となるような前記送信フレームを構成する請求項１に記載の送信装置。
【請求項８】
前記送信フレーム制御部は、時間軸上において前記送信シンボルの振幅を制御する時間ウインドウ処理を実行する場合、
選択した前記サブキャリアによって構成される前記OFDMシンボルに対しては複数の前記OFDMシンボル毎に前記ウインドウ処理を適用し、
前記時間ウインドウ処理が実行された時間信号を合成することによって送信信号を生成する請求項１に記載の送信装置。
【請求項９】
送信シンボルと、前記OFDMシンボルの所定期間を複製したガードインターバルとを複数含む送信フレームを送信する通信装置における送信フレーム構成方法であって、
前記ガードインターバルの長さが前記OFDMシンボルの長さの１／Ｎであり、前記OFDMシンボルを構成するサブキャリアの周波数が基底周波数のＮ×Ｍ倍であって、Ｎ及びＭが自然数であるサブキャリアを選択するステップと、
選択した前記サブキャリアに対して、連続する２以上の前記OFDMシンボルに同一の変調シンボルを割り当てることによって等価的に拡張された拡張ガードインターバルを含む前記送信フレームを用いるステップと
を有する送信フレーム構成方法。
【発明の詳細な説明】
【技術分野】
【０００１】
本発明は、送信装置及び送信フレーム構成方法に関する。
【背景技術】
【０００２】
直交周波数分割多重方式（OFDM）の通信システムでは、OFDMシンボル間に所定のガードインターバル（GI）が設けられる。このため、受信装置は、GI内に収まる遅延波が存在してもシンボル間干渉（ISI）及びサブキャリア間干渉（ICI）の影響を受けずに、送信装置から送信されたOFDMシンボルを受信できる。しかしながら、GI長を無制限に長くすることはできないため、送信装置と受信装置との間におけるOFDMシンボルの伝搬遅延がGI長を超えるような場合には、ISIが問題となる。
【０００３】
そこで、このような問題を解決するため、連続する２以上のOFDMシンボルが同一の場合、偶数番OFDMシンボル及びGIの位相を、奇数番OFDMシンボル及びGIの位相に連続させた送信フレームを生成する方法が知られている（例えば、特許文献１）。このような方法によれば、当該OFDMシンボルをGIとして用いることができるため、GI長を拡大した場合と等価的な効果が得られる。
【先行技術文献】
【特許文献】
【０００４】
【特許文献１】国際公開第2008/038769号
【発明の概要】
【発明が解決しようとする課題】
【０００５】
しかしながら、上述した従来の送信フレームの生成方法では、連続する２以上のOFDMシンボルの境界を基準として、OFDMシンボル及びGIが対称となるように構成される（特許文献１の図２など参照）ため、従来の汎用的なOFDMの送信フレーム構成との互換性の点で課題がある。また、GIが付加される位置の切替処理或いは偶数番OFDMシンボルの位相シフトなどの追加処理が必要（特許文献１の図８など参照）となり、送信装置の回路構成が複雑となる問題がある。
【０００６】
そこで、本発明は、このような状況に鑑みてなされたものであり、通常のガードインターバル長ではシンボル間干渉の影響を抑制できない程度の長遅延を有するマルチパス環境においても、OFDMシンボル長やガードインターバル長などの基本パラメータの変更や回路構成の複雑化を回避しつつ、シンボル間干渉の影響を低減し得る送信装置及び送信フレーム構成方法の提供を目的とする。
【課題を解決するための手段】
【０００７】
本発明の第１の特徴は、OFDMシンボルと、前記OFDMシンボルの所定部分を複製したガードインターバルとを複数含む送信フレームの構成を制御する送信フレーム制御部を備える直交周波数分割多重方式に従った送信装置であって、前記送信フレーム制御部は、前記ガードインターバルの長さが前記OFDMシンボルの長さの１／Ｎであり、前記OFDMシンボルを構成するサブキャリアの周波数が基底周波数のＮ×Ｍ倍であって、Ｎ及びＭが自然数であるサブキャリアを選択し、選択した前記サブキャリアに対して、連続する２以上の前記OFDMシンボルに同一の変調シンボルを割り当てることによって等価的に拡張された拡張ガードインターバルを含む前記送信フレームを用いることを要旨とする。
【０００８】
本発明の第２の特徴は、送信シンボルと、前記OFDMシンボルの所定期間を複製したガードインターバルとを複数含む送信フレームを送信する通信装置における送信フレーム構成方法であって、前記ガードインターバルの長さが前記OFDMシンボルの長さの１／Ｎであり、前記OFDMシンボルを構成するサブキャリアの周波数が基底周波数のＮ×Ｍ倍であって、Ｎ及びＭが自然数であるサブキャリアを選択するステップと、選択した前記サブキャリアに対して、連続する２以上の前記OFDMシンボルに同一の変調シンボルを割り当てることによって等価的に拡張された拡張ガードインターバルを含む前記送信フレームを用いるステップとを有することを要旨とする。
【発明の効果】
【０００９】
本発明の特徴によれば、通常のガードインターバル長ではシンボル間干渉の影響を抑制できない程度の長遅延を有するマルチパス環境においても、OFDMシンボル長やガードインターバル長などの基本パラメータの変更や回路構成の複雑化を回避しつつ、シンボル間干渉の影響を低減し得る送信装置及び送信フレーム構成方法を提供することができる。
【図面の簡単な説明】
【００１０】
【図１】本発明の実施形態に係る無線通信システムの全体概略構成図である。
【図２】本発明の実施形態に係る送信装置（スーパー大ゾーン基地局100）の機能ブロック構成図である。
【図３】本発明の実施形態に係る送信フレーム及びOFDMシンボルの概略基本構成の説明図である。
【図４】本発明の実施形態に係る送信フレーム構成を用いた場合における周波数リソースの割当例を示す
【図５】本発明の変更例に係る周波数リソースの割当例を示す図である。
【図６】本発明の変更例に係る送信装置において時間ウインドウ処理が適用された送信フレームの概略構成を示す図である。
【発明を実施するための形態】
【００１１】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１２】
したがって、具体的な寸法などは以下の説明を参酌して判断すべきものである。また、図面相互間においても互いの寸法の関係や比率が異なる部分が含まれていることは勿論である。
【００１３】
（１）無線通信システムの全体概略構成
図１は、本実施形態に係る無線通信システム1の全体概略構成図である。図１に示すように、無線通信システム1は、形成するセルのサイズが異なる複数種類の基地局と、移動局400とによって構成される。具体的には、無線通信システム1は、スーパー大ゾーン基地局100、大ゾーン基地局200A, 200B、及びマクロ基地局300A,300Bを含む。また、無線通信システム1では、直交周波数分割多重方式（OFDM）が用いられる。例えば、無線通信システム1は、3rd Generation Partnership Project（3GPP）において規定されるLong Term Evolution（LTE）に準拠した移動体通信システムである。
【００１４】
スーパー大ゾーン基地局100は、通常の基地局とは異なり、セル半径が100km程度のセルC1を形成する。スーパー大ゾーン基地局100は、例えば、複数の移動局400に対してブロードキャスト（またはマルチキャスト）するような情報の送信や、被災時における通信の確保に好適に用い得る。本実施形態において、スーパー大ゾーン基地局100は、直交周波数分割多重方式に従った送信装置を構成する。
【００１５】
大ゾーン基地局200Aは、セルC1よりもセル半径が小さいセル（セル半径が1〜7km程度）を形成する。マクロ基地局300Aは、大ゾーン基地局200Aが形成するセルよりもさらにセル半径が小さいセル（セル半径が〜1km程度）を形成する。
【００１６】
移動局400は、存在する位置または受信する情報種別に応じて、スーパー大ゾーン基地局100、大ゾーン基地局200A, 200B、及びマクロ基地局300A,300Bの何れの基地局から送信された送信フレームを受信する。本実施形態において、移動局400は、受信装置を構成する。
【００１７】
（２）送信装置の機能ブロック構成
図２は、本実施形態において送信装置を構成するスーパー大ゾーン基地局100の機能ブロック構成図である。図２に示すように、スーパー大ゾーン基地局100は、スケジューラ部101、S／P及びMUX部103、送信フレーム制御部105、IFFT部107、GI付加部109及び無線送信部111を備える。
【００１８】
スケジューラ部101は、入力された情報の所定の無線リソース（周波数領域及び時間領域）へのスケジューリングを実行する。
【００１９】
S／P及びMUX部103は、スケジューラ部101を介して入力された情報の直並列変換を実行するとともに、誤り訂正符号処理や変調処理を施し、複数のサブキャリアを出力する。
【００２０】
送信フレーム制御部105は、S／P及びMUX部103から出力された複数のサブキャリアから構成されるOFDMシンボルと、当該OFDMシンボルの所定部分を複製したガードインターバルとを複数含む送信フレームの構成を制御する。
【００２１】
特に、本実施形態では、送信フレーム制御部105は、GI付加部109によってOFDMシンボルに付加されるガードインターバルの長さが当該OFDMシンボルの長さの１／Ｎ（Ｎ＝自然数）であり、かつ当該OFDMシンボルを構成するサブキャリアの周波数が基底周波数のＮ×Ｍ倍（Ｍ＝自然数）である任意のサブキャリアを選択する。より具体的には、送信フレーム制御部105は、当該OFDMシンボルを構成するサブキャリアの角周波数が基底角周波数ωのＮ×Ｍ倍である任意のサブキャリアを選択する。
【００２２】
さらに、送信フレーム制御部105は、選択したサブキャリアに対して、連続する２以上のOFDMシンボルに同一の変調シンボル、具体的には同一の情報を割り当てる。
【００２３】
このような送信フレーム制御部105の処理によって、ガードインターバル長が等価的に拡張された拡張ガードインターバルを構成でき、スーパー大ゾーン基地局100は、拡張ガードインターバルを含む送信フレームを用いることができる。なお、本実施形態に係る送信フレームの構成については、さらに後述する。
【００２４】
IFFT部107は、S／P及びMUX部103から出力されたサブキャリアに逆フーリエ変換（IFFT）を施し、OFDMシンボルを生成する。
【００２５】
GI付加部109は、送信フレーム制御部105からの制御に基づいて、OFDMシンボルに、当該OFDMシンボルの所定部分を複製したガードインターバルを付加する。特に、本実施形態では、GI付加部109は、送信フレーム制御部105からの制御に基づいて、通常のガードインターバルよりも時間が長い拡張ガードインターバルを付加することができる。
【００２６】
無線送信部111は、GI付加部109から出力された送信フレームに対してD／A変換、アップコンバート及び増幅処理などを施し、当該処理が施された無線信号をアンテナから送信する。
【００２７】
なお、スーパー大ゾーン基地局100は、スーパー大ゾーン基地局100と移動局400との間における伝搬環境を判定する伝搬環境判定部113を備えてもよい。具体的には、伝搬環境判定部113は、スーパー大ゾーン基地局100と移動局400との間におけるOFDMシンボル（マルチパス）の遅延分散に基づいて、当該伝搬環境を判定する。
【００２８】
また、伝搬環境判定部113が備えられる場合、送信フレーム制御部105は、スーパー大ゾーン基地局100と移動局400との間におけるマルチパスの遅延分散が所定の閾値よりも大きいと伝搬環境判定部113によって判定された場合、上述した拡張ガードインターバルを含む送信フレームを用いることができる。
【００２９】
（３）送信フレームの構成
次に、スーパー大ゾーン基地局100から送信される送信フレームの構成について説明する。
【００３０】
図３（ａ）及び（ｂ）は、本実施形態に係る送信フレーム及びOFDMシンボルの概略基本構成の説明図である。図３（ａ）に示すように、本実施形態では、拡張ガードインターバルを実現するために、通常のガードインターバルの長さ（図中のTGI）がOFDMシンボルの長さ（図中のTsymbol）の1/4（つまり、N=4）に設定される。さらに、OFDMシンボルを構成する基底角周波数ωの4倍（N=4, M=1）の周波数（図中のej4ωt）であるサブキャリアが選択される。
【００３１】
このように選択したサブキャリアに対して、連続する２以上のOFDMシンボルに同一の変調シンボル（同一の情報）を割り当てる。このような処理によって、OFDMシンボル（Tsymbol）の部分がガードインターバルとして等価的に拡張された拡張ガードインターバルを含む送信フレームを構成できる（「OK」と示されている図３（ａ）の上から３番目の構成を参照）。なお、上述したTGI＝1/N・Tsymbol、及びサブキャリアの角周波数が基底角周波数ωのＮ×Ｍ倍である条件を満たさないと、図３（ａ）に「NG」と示したフレーム構成のように、OFDMシンボルと、ガードインターバルとの位相が一致（連続）しないため、等価的に拡張された拡張ガードインターバルとして用い得ない。
【００３２】
図３（ｂ）は、TGI＝1/4・Tsymbol、M=1とした場合、4サブキャリア間隔で等価的な拡張ガードインターバルを生成可能となる状態を示している。
【００３３】
（４）周波数リソースの割当例
図４は、上述した送信フレーム構成を用いた場合における周波数リソースの割当例を示す。図４に示すように、無線通信システム1が利用可能なシステム帯域の内、特定周波数領域B1にのみ、上述した送信フレーム構成を用いたOFDM信号を適用する。
【００３４】
なお、LTEの場合、下りリンクでは、割当サブキャリア数が12サブキャリア（1リソースブロック（1RB））の整数倍という制限がある。そこで、スーパー大ゾーン基地局100（送信フレーム制御部105）は、選択したサブキャリアが含まれる特定周波数領域B1におけるサブキャリアの電力密度を、特定周波数領域B1以外の非特定周波数領域B2におけるサブキャリアの電力密度よりも高くなるようにしてもよい。
【００３５】
或いは、特定周波数領域B1におけるサブキャリアの電力密度を高くする一方、非特定周波数領域B2におけるサブキャリアの送信を停止するようにしてもよい。さらに、上述した送信フレームの構成方法は、LTEの上りリンクにおいて用いられているDFT-spread OFDMと組み合わせてもよい。
【００３６】
（５）作用・効果
上述したスーパー大ゾーン基地局100によれば、TGIがTsymbolの1/Nであり、当該OFDMシンボルを構成する角周波数が基底角周波数ωのＮ×Ｍ倍であるサブキャリアに対して、連続する２以上のOFDMシンボルに同一の変調シンボルを割り当てることによって等価的に拡張された拡張ガードインターバルを含む送信フレームが用いられる。
【００３７】
すなわち、TGI、つまり、ガードインターバル長を適切に設定することによって、連続するOFDMシンボルに同一変調シンボルを割り当てた場合におけるOFDMシンボル間の位相連続条件が周波数領域において周期的に満たされるため、このような特徴を活用することによって、OFDMシンボル長やガードインターバル長などの基本パラメータの変更や回路構成の複雑化を回避できる。
【００３８】
また、このような送信フレーム構成によれば、ガードインターバルを容易に拡張できるため、通常のガードインターバル長ではシンボル間干渉（ISI）の影響を抑制できない程度の長遅延を有するマルチパス環境においても確実にISIの影響を低減し得る。特に、上述した実施形態のように、セル半径が100kmにも及ぶスーパー大ゾーン基地局からOFDM信号を受信する場合に顕著となるISIを効果的に低減し得る。
【００３９】
（６）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００４０】
図５は、本発明の変更例に係る周波数リソースの割当例を示す図である。図５に示すように、スーパー大ゾーン基地局100（送信フレーム制御部105）は、選択したサブキャリアが含まれる特定周波数領域B1と、当該サブキャリアが含まれない非特定周波数領域B2との間に所定の帯域幅を有するガードバンドGBを設けた送信フレームを構成する。このようなガードバンドGBを設けることによって、隣接するサブキャリアからのサブキャリア間干渉を低減できる。
【００４１】
また、さらにサブキャリア間干渉を低減する観点から、ガードバンドGBに隣接する非特定周波数領域B2におけるサブキャリアの電力密度は、特定周波数領域B1におけるサブキャリアの電力密度よりも低くなるようにしてもよい。また、特定周波数領域B1内においても、上述した拡張ガードインターバルを含まない送信フレームでは、当該サブキャリアの電力密度を低くし、周波数繰り返しを用いずに基地局周辺に位置する移動局との通信に、対応するサブキャリアを用いてもよい。
【００４２】
また、送信フレーム制御部105は、連続する第１所定数のOFDMシンボルに同一の変調シンボルを割り当てた第１サブキャリア群と、第１所定数よりも小さい第２所定数の前記OFDMシンボルに同一の変調シンボルを割り当てた第２サブキャリア群と、同一の変調シンボルが連続しない単独サブキャリアとを混在させる場合、第２サブキャリア群のサブキャリア割当位置が、単独サブキャリアの割当位置よりも第１サブキャリア群に接近した状態となる送信フレームを構成することが好ましい。
【００４３】
具体的には、3シンボル（第１所定数）連結して送るサブキャリアと、2シンボル（第２所定数）連結して送るサブキャリアと、連結せずに送るサブキャリアとが特定周波数領域B1内において混在する場合、上述したようなサブキャリア間干渉を低減するため、3シンボル連結して送信する第１サブキャリア群の周囲に2シンボル連結して送信する第２サブキャリア群を配置することが好ましい。なお、特定周波数領域B1と非特定周波数領域B2とは他の種別の基地局によって用いられてもよい。例えば、特定周波数領域B1はスーパー大ゾーン基地局100によって用いられ、非特定周波数領域B2はマクロ基地局300A, 300Bによって用いられてもよい。また、ガードバンドGBの領域は,未使用とするのではなく、電力密度を抑えた状態で移動局400との通信に使用してもよい。
【００４４】
また、通常のOFDM信号は、帯域外輻射（隣接サブキャリアへの漏洩電力）を抑えるため、各OFDMシンボルに対して、時間軸上において前記送信シンボルの振幅を制御する時間ウインドウ処理を適用している。図６は、時間ウインドウ処理が適用された送信フレームの概略構成を示す。
【００４５】
上述したような実施形態に係る送信フレーム構成において時間ウインドウ処理が適用されると、時間ウインドウ乗算区間がガードインターバルと見なされるため、適用される時間ウインドウの形状によっては、OFDM信号の受信品質が劣化する可能性がある。
【００４６】
そこで、スーパー大ゾーン基地局100（送信フレーム制御部105）は、時間ウインドウ処理を実行する場合、時間ウインドウ処理に用いられる窓関数の係数について各時点（すなわち、任意の時点）の和が１となるような送信フレームを構成することが好ましい。つまり、図６に示すOFDMシンボル1の後端と、OFDMシンボル2の前に付加されたガードインターバルとが重複した時間領域A1に時間ウインドウが乗算されない場合と等価となるように、適用する時間ウインドウを設定することが好ましい。
【００４７】
或いは、送信フレーム制御部105は、時間ウインドウ処理を実行する場合、上述した条件に基づいて選択したサブキャリアによって構成されるOFDMシンボルに対しては、複数のOFDMシンボル毎にウインドウ処理を適用し、時間ウインドウ処理が実行された時間信号を合成することによって送信信号を生成してもよい。
【００４８】
具体的には、特定周波数領域B1に対応する部分と、非特定周波数領域B2に対応する部分とを別個にIFFTを適用して時間信号を生成し、生成された別個の時間信号に対して、上述したように、複数のOFDMシンボル毎にウインドウ処理を適用するか、当該OFDMシンボル毎にウインドウ処理を適用するかを切り替える。
【００４９】
また、上述した実施形態では、スーパー大ゾーン基地局100のセル半径は100km程度であり、大ゾーン基地局200A, 200Bのセル半径は、7km程度であり、マクロ基地局300A, 300Bのセル半径は1km以下程度であるものと説明したが、このような無線通信システム1の場合、基地局や移動局400は、以下のような動作や処理を実行してもよい。
【００５０】
まず、スーパー大ゾーン基地局100と移動局400との上り方向の通信は送信電力などの制限から現実的ではないため、スーパー大ゾーン基地局100は、ページング専用（文字または音声メッセージなど）や放送（移動局400を使用可能なエリアを報知するなど）などの用途とすることが好ましい。また、上り方向の通信を実現する場合には、複数の移動局または基地局によるマルチホップに通信路の形成が考えられる。
【００５１】
また、上り方向の通信可能範囲を広げる１つの方法として、特定の上り方向の無線リソースブロックについては、大ゾーン基地局200A, 200B及びマクロ基地局300A, 300Bによる使用を禁止することによって、セル間干渉を低減するようにしてもよい。或いは、使用サブキャリア数を１つの無線リソースブロック相当に制限するなどにより、当該サブキャリアに電力を集中させ、送信電力密度を向上させてもよい。さらに、当該サブキャリアの繰り返し送信を適用することによって通信可能範囲を拡大させてもよい。
【００５２】
また、上述したような種別の異なる基地局が混在する場合、基地局の種別毎に用いるサブキャリアを予め固定しておいてもよい。或いは、大ゾーン基地局200A, 200B及びマクロ基地局300A, 300Bは、スーパー大ゾーン基地局100が用いるサブキャリアも含めて全てのサブキャリアを用いてもよい。さらに、このようなサブキャリアの割り当ては、基地局の位置により決定してもよい。例えば、スーパー大ゾーン基地局100の近くに位置するマクロ基地局などはスーパー大ゾーン基地局100からの干渉が強いため、スーパー大ゾーン基地局100が使用するサブキャリアを用いないほうが高い容量を得ることができると考えられる。さらに、スーパー大ゾーン基地局100の近くに位置するマクロ基地局でも全てのサブキャリアを用い得るように、垂直アンテナ指向性（垂直ビームを遠方に向ける、またはスーパー大ゾーン基地局100付近の指向性利得が低くなるようにする）により棲み分けを図ってもよい。
【００５３】
なお、上述した実施形態では、種別の異なる基地局が混在していたが、本発明は、スーパー大ゾーン基地局100のみの場合にも勿論適用し得る。また、上述した実施形態では、スーパー大ゾーン基地局100が送信装置を構成する例について説明したが、他の種別の基地局や移動局400が送信装置を構成してもよい。
【００５４】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００５５】
1…無線通信システム
100…スーパー大ゾーン基地局
101…スケジューラ部
103…S／P及びMUX部
105…送信フレーム制御部
107…IFFT部
109…GI付加部
111…無線送信部
113伝搬環境判定部
200A, 200B…大ゾーン基地局
300A, 300B…マクロ基地局
400…移動局
C1…セル
【図１】
2013187833.tif 000003
【図２】
2013187833.tif 000004
【図３】
2013187833.tif 000005
【図４】
2013187833.tif 000006
【図５】
2013187833.tif 000007
【図６】
2013187833.tif 000008